(57)【要約】【課題】  水をイオン電荷化するとともに除菌できる水のイオン電荷化装置を提供する。【解決手段】  イオン化部４０は、ラジウム鉱石粉をセラミック化したラジウムセラミック４１体の周囲に電気石粉をセラミック化した電気石セラミック体４２を６個又は６の倍数の個数配置し、ラジウムセラミック４１と電気石セラミック体４２の集合体と銀−亜鉛合金メッキ処理した銅板４３を交互に複数配置し、両端の銅板４３の外側面に磁石４４を互いが同じ極を向くように配置し、これらを水路の途中に設けたケース４５内に収容する。また、貯水タンク１０の底面全面に銅製の改質部材を敷設する。【選択図】  図２
2008279332.tif 000002
【特許請求の範囲】
【請求項１】
貯水タンクの水を水路の途中に設けたイオン化部に通水して循環させながら電荷を帯びたイオン化する水のイオン電荷化装置において、前記貯水タンク内に銅製の改質部材を水と接触できる位置に設け、前記イオン化部が、ラジウム鉱石粉をセラミック化したラジウムセラミック体の周囲に電気石粉をセラミック化した電気石セラミック体を６個又は６の倍数の個数配置し、ラジウムセラミック体と電気石セラミック体の集合体と銀−亜鉛合金メッキ処理した銅板を交互に複数配置し、両端の銅板の外側面に磁石を互いが同じ極を向くように配置し、これらを水路の途中に収容した構造であることを特徴とする、水のイオン電荷化装置。
【請求項２】
銀−亜鉛合金メッキの銀と亜鉛の重量比が７：３〜９：１の範囲である、請求項１記載の水のイオン電荷化装置。
【請求項３】
請求項１又は２記載の水のイオン電荷化装置を用いて貯水タンク内の水を除菌できるようにした、水の除菌装置。
【発明の詳細な説明】
【技術分野】
【０００１】
本発明は、水のイオン電荷化装置に関する。
【背景技術】
【０００２】
水のイオン化装置が特許文献１に開示されている。この技術は、水の流出入口が形成された容器内にゼオライト等の多孔質鉱物とモナズ石等の希有元素類とトルマリンとを主成分とするイオン水生成体を収容し、水を容器に通水させることで、マイナスイオンの効果を発揮するとともに悪細菌を除菌できることを特徴としている。本発明は、前記の技術と同じように水のイオン電荷化と除菌を目的として成されたものである。
【特許文献１】特開２００７−５０３９９号公報
【発明の開示】
【発明が解決しようとする課題】
【０００３】
本発明が解決しようとする課題は、水をイオン電荷化するとともに除菌できる水のイオン電荷化装置を提供することにある。
【課題を解決するための手段】
【０００４】
かかる課題を解決した本発明の構成は、
１）  貯水タンクの水を水路の途中に設けたイオン化部に通水して循環させながら電荷を帯びたイオン化する水のイオン電荷化装置において、前記貯水タンク内に銅製の改質部材を水と接触できる位置に設け、前記イオン化部が、ラジウム鉱石粉をセラミック化したラジウムセラミック体の周囲に電気石粉をセラミック化した電気石セラミック体を６個又は６の倍数の個数配置し、ラジウムセラミック体と電気石セラミック体の集合体と銀−亜鉛合金メッキ処理した銅板を交互に複数配置し、両端の銅板の外側面に磁石を互いが同じ極を向くように配置し、これらを水路の途中に収容した構造であることを特徴とする、水のイオン電荷化装置
２）  銀−亜鉛合金メッキの銀と亜鉛の重量比が７：３〜９：１の範囲である、前記１）記載の水のイオン電荷化装置
３）  前記１）又は２）記載の水のイオン電荷化装置を用いて貯水タンク内の水を除菌できるようにした、水の除菌装置
にある。
【発明の効果】
【０００５】
本発明によれば、貯水タンクに水を貯水してポンプ等で汲み上げると、水はケース内へ流入してラジウムセラミック体・電気石セラミック体・銅板のメッキ面と触れ、その後貯水タンクへ戻されて循環する。この循環を所定時間継続すると水がラジウムセラミック体と電気石セラミック体の作用によりイオン電荷化されるとともに、銀−亜鉛合金メッキの作用により一般細菌が消滅する。
【発明を実施するための最良の形態】
【０００６】
本発明の改質部材は、薄板状や網状のものを貯水タンクの側面や底面の一部又は全面に敷設したり、浮体に取り付けて水面を浮遊させて水と接触できるようにしたもので、貯水タンク内の水を一電荷イオン化するという作用を奏するものである。磁石は、互いがＳ極同士又はＮ極同士のように反発する向きに配置されるもので、より磁力を高めて安定させるという作用を奏するものである。
【０００７】
ラジウムセラミック体と電気石セラミック体は、それらの鉱石粉を１０００℃以上の高温で還元焼成し、外径約１０ｍｍ、長さ約１０ｍｍほどの円柱状のチップに形成されたものが用いられる。これらは環境の変化（温度・湿度・摩擦等）でマイナスイオンを発生するものである。銅板に処理される銀−亜鉛合金メッキは、水の除菌と銅板の防錆のために処理されるもので、銀と亜鉛の重量比が７：３〜９：１の範囲が実用的である。以下、本発明の実施例を図面に基づいて具体的に説明する。
【実施例１】
【０００８】
図１は実施例のイオン電荷化装置の説明図、図２は実施例のイオン電荷化部の説明図、図３は実施例のセラミック体の配置を示す説明図、図４は実施例の水質細菌検査を示す成績書、図５は実施例の理化学検査を示す結果書、図６，８は比較例の水質細菌検査を示す成績書、図７，９は比較例の理化学検査を示す結果書である。
【０００９】
図中、１０は貯水タンク、１１は改質部材、２０はポンプ、３０は水管、４０はイオン化部、４１はラジウムセラミック体，４２は電気石セラミック体、４３は銅板、４４は磁石、４５はケース、５０は戻し管、６０は排水管、６１はバルブ、Ｗは水である。
【００１０】
本実施例のイオン電荷化装置は、図１に示すように容量９０Ｌの貯水タンク１０と、貯水タンク１０の水Ｗを水管３０を通じて汲み上げるポンプ２０と、ポンプ２０で汲み上げた水Ｗをイオン電荷化するイオン化部４０と、イオン化部４０でイオン電荷化された水Ｗを貯水タンク１０へ戻す戻し管５０と、戻し管５０の水Ｗをバルブ６１の切替で排水する排水管６０とで構成している。
【００１１】
イオン化部４０は、図２，３に示すようにラジウム鉱石粉をセラミック化したラジウムセラミック体４１の周囲に電気石粉をセラミック化した６個の電気石セラミック体４２を放射状に配置し、ラジウムセラミック体４１と電気石セラミック体４２の集合体と銀−亜鉛合金メッキ処理した銅板４３を交互に複数配置し、両端の銅板４３の外側面に磁石４４をそのＮ極が対向するように配置し、これらを水管３０の途中に設けたケース４５内に収容している。
【００１２】
銀−亜鉛合金メッキの銀と亜鉛の重量比は８：２の割合である。銅板４３は厚さ０．１ｍｍのものを用い、ラジウムセラミック体４１と電気石セラミック体４２は外径１０ｍｍ、長さ１０ｍｍの円柱状のチップを用いている。改質部材１１は厚さ０．１ｍｍの銅板で、貯水タンク１０の底面全面に敷設している。
【００１３】
本実施例では、貯水タンク１０に蒸留水からなる水Ｗを貯水してポンプ２０を駆動させると、水Ｗが水管３０を通じてイオン電荷化部４０へ汲み上げられる。水Ｗはケース４５の内部へ流入し、ラジウムセラミック体４１・電気石セラミック体４２・銅板４３のメッキ面と触れ、戻し管５０で貯水タンク１０へ戻される。この循環をおよそ一昼夜継続すると水Ｗがイオン電荷化される。
【００１４】
前記イオン電荷化された水Ｗの水質細菌検査と理化学検査の測定結果を図４〜９に示す。図４，５は本実施例である。図６，７は比較例で、改質部材１１に銀を用い、銅板４３に代えてメッキ未処理の銀板を用いたものである。図８，９は比較例で、改質部材１１に銅を用い、銅板４３としてメッキ未処理のものを用いたものである。このように、本実施例では銀−亜鉛合金メッキの作用により一般細菌が消滅しているのがわかる。
【産業上の利用可能性】
【００１５】
本発明のイオン電荷化装置で生成したイオン水は、洗浄水，化学薬剤との分離しない混和剤，飲料水等に利用できる。
【図面の簡単な説明】
【００１６】
【図１】実施例のイオン電荷化装置の説明図である。
【図２】実施例のイオン化部の説明図である。
【図３】実施例のセラミック体の配置を示す説明図である。
【図４】実施例の水質細菌検査を示す成績書である。
【図５】実施例の理化学検査を示す結果書である。
【図６】比較例の水質細菌検査を示す成績書である。
【図７】比較例の理化学検査を示す結果書である。
【図８】比較例の水質細菌検査を示す成績書である。
【図９】比較例の理化学検査を示す結果書である。
【符号の説明】
【００１７】
１０  貯水タンク
１１  改質部材
２０  ポンプ
３０  水管
４０  イオン化部
４１  ラジウムセラミック体
４２  電気石セラミック体
４３  銅板
４４  磁石
４５  ケース
５０  戻し管
６０  排水管
６１  バルブ
Ｗ  水
【図１】
2008279332.tif 000003
【図２】
2008279332.tif 000004
【図３】
2008279332.tif 000005
【図４】
2008279332.tif 000006
【図５】
2008279332.tif 000007
【図６】
2008279332.tif 000008
【図７】
2008279332.tif 000009
【図８】
2008279332.tif 000010
【図９】
2008279332.tif 000011